(57)【要約】      （修正有）【課題】構成が簡素で、組付作業が簡易、かつ生産コストが削減できるＩＣカード用スイッチ付コネクタを提供する。【解決手段】端子が多数設けられるＩＣカード挿入穴１１、内部に第一ベース部１３及び第二ベース部１４が設けられる本体１０と、本体１０内に固定される第一接続端子２０、第二接続端子４０及び第三接続端子と、中段６１が第一ベース部１３に固定され第一端６２が第一接続端子２０の第二端２２と常時ラップし、第二端６３がＩＣカードの挿入経路に位置して第二接続端子４０の第二端４２に対向し、常時オープン状態にある第一スイッチ端子６０と、中段７１が第二ベース部１４に固定され、第一端７２が第二接続端子４０の第二端４２と常時ラップし、第二端７３がＩＣカードの挿入経路に位置し、第三接続端子の第二端に対向し、常時オープン状態にある第二スイッチ端子７０と、を備える。【選択図】図４
0003138937.tif 000002
【実用新案登録請求の範囲】
【請求項１】
ＩＣカード挿入穴が設けられ、前記ＩＣカード挿入穴内に端子が多数設けられ、且つ内部には第一ベース部及び第二ベース部が設けられる本体と、
前記本体内に固定され、第一端が回路板の第一接点に連接され、第二端が前記本体内に露出する第一接続端子と、
前記本体内に固定され、第三端が回路板の第二接点に連接され、第四端が前記本体内に露出する第二接続端子と、
前記本体内に固定され、第五端が回路板の第三接点に連接され、第六端が前記本体内に露出する第三接続端子と、
第一中段が前記本体の前記第一ベース部に固定され、第七端が前記第一接続端子の前記第二端と常時ラップし、第八端は、ＩＣカードの挿入経路に位置し、前記第二接続端子の前記第四端に対向し、且つ常時オープン状態にある第一スイッチ端子と、
第二中段が前記本体の前記第二ベース部に固定され、第九端が前記第二接続端子の前記第四端と常時ラップし、第十端は、ＩＣカードの挿入経路に位置し、前記第三接続端子の前記第六端に対向し、且つ常時オープン状態にある第二スイッチ端子と、
を備え、
ＩＣカードを前記本体の前記ＩＣカード挿入穴に挿入したとき、前記第一スイッチ端子の前記第八端が前記第二接続端子の前記第四端とラップし、前記第二スイッチ端子の前記第十端が前記第三接続端子の前記第六端とラップし、回路板の前記第一接点と前記第二接点と前記第三接点とが連通状態になることを特徴とするＩＣカード用スイッチ付コネクタ。
【請求項２】
前記第一スイッチ端子の前記第一中段には、前記本体の前記第一ベース部の第一位置決め穴に係止するための第一係止片部および第一フック部が設けられることを特徴とする請求項１に記載のＩＣカード用スイッチ付コネクタ。
【請求項３】
前記第一スイッチ端子の前記第七端が階段状に湾折されて第一階段部になり、前記第一スイッチ端子の前記第一中段が前記第一ベース部の上を跨っているときに、前記第一階段部の末段の水平部が前記第一接続端子の前記第二端とラップし、且つ前記第一スイッチ端子の前記第八端が宙に浮いていることを特徴とする請求項１に記載のＩＣカード用スイッチ付コネクタ。
【請求項４】
前記第一スイッチ端子の前記第八端の末端に第一突起部が設けてあり、前記第一突起部の末端が湾折されて水平な水平段になることを特徴とする請求項１に記載のＩＣカード用スイッチ付コネクタ。
【請求項５】
前記第一スイッチ端子の前記第一突起部がく字形を呈することを特徴とする請求項４に記載のＩＣカード用スイッチ付コネクタ。
【請求項６】
前記第二スイッチ端子の前記第二中段には、前記本体の前記第二ベース部の第二位置決め穴に係止するための第二係止片部および第二フック部が設けられることを特徴とする請求項１に記載のＩＣカード用スイッチ付コネクタ。
【請求項７】
前記第二スイッチ端子の前記第九端が階段状に湾折されて第二階段部になり、前記第二スイッチ端子の前記第二中段が前記第二ベース部の上を跨っているときに、前記第二階段部の末段の水平部が前記第二接続端子の前記第四端とラップし、且つ前記第二スイッチ端子の前記第十端が宙に浮いていることを特徴とする請求項１に記載のＩＣカード用スイッチ付コネクタ。
【請求項８】
前記第二スイッチ端子の前記第十端の末端に第二突起部が設けてあり、前記第二突起部の末端が湾折されて水平な水平段になることを特徴とする請求項１に記載のＩＣカード用スイッチ付コネクタ。
【請求項９】
前記第二スイッチ端子の前記第二突起部がく字形を呈することを特徴とする請求項８に記載のＩＣカード用スイッチ付コネクタ。
【考案の詳細な説明】
【技術分野】
【０００１】
本考案は、ＩＣカード用スイッチ付コネクタに関し、特に、金属プレートで一体成形された第一スイッチ端子および第二スイッチ端子を本体に取付けることにより、構成が簡素で、組付作業が簡易、かつ生産コストが削減できるＩＣカード用スイッチ付コネクタに関する。
【背景技術】
【０００２】
従来のＩＣカード用スイッチ付コネクタは、図６及び図７に示すように、樹脂本体９１と、鉄製ケーシング９２と、多数の導電端子９３と、第一スイッチ本体９４と、第二スイッチ本体９５とから構成され、第一スイッチ本体９４と第二スイッチ本体９５とは、樹脂本体９１の側縁にそれぞれ枢着され、且つバネ９６、９７にそれぞれ押し上げられ、これにより、第一スイッチ本体９４と第二スイッチ本体９５との第二端がそれぞれ樹脂本体９１の第一接続端子９８と第二接続端子９９とに設けられる。従来のＩＣカード用スイッチ付コネクタにメモリカードや他のＩＣカードを挿入したときには、第一スイッチ本体９４と第二スイッチ本体９５との第二端９４１、９５１が押されて下へ移動して第一接続端子９８と第二接続端子９９とにラップし、これにより、第一接続端子９８と第二接続端子９９とが連通状態になる。
【考案の開示】
【考案が解決しようとする課題】
【０００３】
しかしながら、従来のものは次のような欠点があった。
（１）第一スイッチ本体９４と第二スイッチ本体９５とに使用されるバネ９６、９７がトルクバネであるので、寸法がより小さくて、精度が厳しく要求され、したがって、加工が難しくなり、寸法精度のバラツキが大きくなり、使用寿命が長くならず、信頼性も低くなる。
【０００４】
（２）従来のＩＣカード用スイッチ付コネクタの第一スイッチ本体９と第二スイッチ本体９５とは、それぞれバネ９６、９７を有するので、合わせて４つの部品があり、組付ける場合には、第一スイッチ本体９４と第二スイッチ本体９５とバネ９６、９７との寸法がより小さいので、ピンセットを使用しないと、第一スイッチ本体９と第二スイッチ本体９５とにバネ９６、９７を組付けることができず、組付けられたバネ９６、９７は第一スイッチ本体９と第二スイッチ本体９５とから脱落し易いので、組付作業が難しくて、組付工数がかなり掛かる。
したがって、本考案の主な目的は、構成が簡素で、組付作業が簡易、かつ生産コストが削減できるＩＣカード用スイッチ付コネクタを提供することにある。
【課題を解決するための手段】
【０００５】
上記の目的を解決するためになされた本考案に係るＩＣカード用スイッチ付コネクタは、ＩＣカード挿入穴が設けられ、前記ＩＣカード挿入穴内に端子が多数設けられ、且つ内部には第一ベース部及び第二ベース部が設けられる本体と、前記本体内に固定され、第一端が回路板の第一接点に連接され、第二端が前記本体内に露出する第一接続端子と、前記本体内に固定され、第三端が回路板の第二接点に連接され、第四端が前記本体内に露出する第二接続端子と、前記本体内に固定され、第五端が回路板の第三接点に連接され、第六端が前記本体内に露出する第三接続端子と、第一中段が前記本体の前記第一ベース部に固定され、第七端が前記第一接続端子の前記第二端と常時ラップし、第八端は、ＩＣカードの挿入経路に位置し、前記第二接続端子の前記第四端に対向し、且つ常時オープン状態にある第一スイッチ端子と、第二中段が前記本体の前記第二ベース部に固定され、第九端が前記第二接続端子の前記第四端と常時ラップし、第十端は、ＩＣカードの挿入経路に位置し、前記第三接続端子の前記第六端に対向し、且つ常時オープン状態にある第二スイッチ端子と、を備え、ＩＣカードを前記本体の前記ＩＣカード挿入穴に挿入したときに、前記第一スイッチ端子の前記第八端が前記第二接続端子の前記第四端とラップし、前記第二スイッチ端子の前記第十端が前記第三接続端子の前記第六端とラップし、このとき、回路板の前記第一接点と前記第二接点と前記第三接点とが連通状態になる。
【０００６】
前記第一スイッチ端子の前記第一中段には、前記本体の前記第一ベース部の第一位置決め穴に係止するための第一係止片部および第一フック部が設けられてもよい。
前記第一スイッチ端子の前記第七端が階段状に湾折されて第一階段部になり、前記第一スイッチ端子の前記第一中段が前記第一ベース部の上で跨っているときに、前記第一階段部の末段の水平部が前記第一接続端子の前記第四端とラップし、且つ前記第一スイッチ端子の前記第八端が宙に浮いていてもよい。
前記第一スイッチ端子の前記第八端の末端に第一突起部が設けてあり、前記第一突起部の末端が湾折されて水平な水平段になってもよい。
前記第一スイッチ端子の前記第一突起部がく字形を呈してもよい。
【０００７】
前記第二スイッチ端子の前記第二中段には、前記本体の前記第二ベース部の第二位置決め穴に係止するための第二係止片部および第二フック部が設けられてもよい。
前記第二スイッチ端子の前記第九端が階段状に湾折されて第二階段部になり、前記第二スイッチ端子の前記第二中段が前記第二ベース部の上で跨っているときに、前記第二階段部の末段の水平部が前記第二接続端子の前記第十端とラップし、且つ前記第二スイッチ端子の前記第十端が宙に浮いていてもよい。
前記第二スイッチ端子の前記第十端の末端に第二突起部が設けてあり、前記第二突起部の末端が湾折されて水平な水平段になってもよい。
前記第二スイッチ端子の前記第二突起部がく字形を呈してもよい。
【考案を実施するための最良の形態】
【０００８】
以下、添付図面を参照して本考案の好適な実施の形態を詳細に説明する。
（一実施形態）
まず、図１から図５を参照する。本考案の一実施形態によるＩＣカード用スイッチ付コネクタは、本体１０と、第一接続端子２０と、第二接続端子４０と、第三接続端子５０と、第一スイッチ端子６０と、第二スイッチ端子７０と、を備える。本体１０は、ＩＣカード挿入穴１１が設けてあり、ＩＣカード挿入穴１１内に端子１２が多数設けてあり、且つ本体１０の内部には第一ベース部１３及び第二ベース部１４が設けてある。第一接続端子２０は、本体１０内に固定され、第一端２１が回路板３０の第一接点３１に連接され、第二端２２が本体１０内に露出する。第二接続端子４０は、本体１０内に固定され、第一端４１が回路板３０の第二接点３２に連接され、第二端４２が本体１０内に露出する。第三接続端子５０は、本体１０内に固定され、第一端５１が回路板３０の第三接点３３に連接され、第二端５２が本体１０内に露出する。第一スイッチ端子６０は、その中段６１が本体１０の第一ベース部１３に固定され、その第一端６２が第一接続端子２０の第二端２２と常時にラップし、その第二端６３は、ＩＣカードＣの挿入経路に位置し、第二接続端子４０の第二端４２に対向し、且つ常時にオープン状態にある。第二スイッチ端子７０は、その中段７１が本体１０の第二ベース部１４に固定され、その第一端７２が第二接続端子４０の第二端４２と常時にラップし、その第二端７３は、ＩＣカードＣの挿入経路に位置し、第三接続端子５０の第二端５２に対向し、且つ常時にオープン状態にある。これにより、ＩＣカードＣを本体１０のＩＣカード挿入穴１１に挿入したとき、第一スイッチ端子６０の第二端６３が第二接続端子４０の第二端４２とラップし、第二スイッチ端子７０の第二端７３が第三接続端子５０の第二端５２とラップし、このとき、回路板３０の第一接点３１と第二接点３２と第三接点３３とが連通状態になる。
【０００９】
本実施形態のＩＣカード用スイッチ付コネクタは、本体１０が樹脂本体１０ａとカバー１０ｂとから構成され、各端子１２、第一接続端子２０、第二接続端子４０及び第三接続端子５０はそれぞれ一部または全部が樹脂本体１０ａに埋め込まれる。勿論、本考案はこれらに限定されない。
本実施形態のＩＣカード用スイッチ付コネクタは、更に、本体１０内に設けられ挿入されたＩＣカードＣを排出するためのカード排出手段８０を備える。また、本考案の実施形態は別のよく知られたカード排出手段を使用してもよい。
【００１０】
また、本実施形態ののＩＣカード用スイッチ付コネクタは、図１、図２、図４及び図５に示すように、第一スイッチ端子６０の中段６１に、本体１０の第一ベース部１３の位置決め穴１３１に係止するための係止片部６１１およびフック部６１１ａを設ける。第一スイッチ端子６０の第一端６２が階段状に湾折されて階段部６２１になり、第一スイッチ端子６０の中段６１が第一ベース部１３の上を跨っているとき、階段部６２１の末段の水平部が第一接続端子２０の第二端２２とラップし、且つ第一スイッチ端子６０の第二端６３が宙に浮いている。
【００１１】
第一スイッチ端子６０の第二端６３の末端に突起部６３１が設けてあり、突起部６３１の末端が湾折されて水平な水平段６３２になり、突起部６３１が挿入されたＩＣカードＣに圧迫されるとき、水平段６３２が第二接続端子４０の第二端４２とラップし、これにより、導電品質が更に良くなる。
第一スイッチ端子６０の突起部６３１は、く字形を呈してもいいし、別の形状を呈してもよい。
【００１２】
また、本実施形態のＩＣカード用スイッチ付コネクタは、第二スイッチ端子７０の中段７１に、本体１０の第二ベース部１４の位置決め穴１４１に係止するための係止片部７１１およびフック部７１１ａを設ける。第二スイッチ端子７０の第二端７２が階段状に湾折されて階段部７２１になり、第二スイッチ端子７０の中段７１が第二ベース部１４の上で跨っているときに、階段部７２１の末段の水平部が第二接続端子４０の第二端４２とラップし、且つ第二スイッチ端子７０の第二端７３が宙に浮いている。
【００１３】
第二スイッチ端子７０の第二端７３の末端に突起部７３１が設けてあり、突起部７３１の末端が湾折されて水平な水平段７３２になり、突起部７３１が挿入されたＩＣカードＣに圧迫されるときに、水平段７３２が第三接続端子５０の第二端５２とラップし、これにより、導電品質が更に良くなる。
第二スイッチ端子７０の突起部７３１は、く字形を呈してもいいし、別の形状を呈してもよい。
【００１４】
また、本実施形態のＩＣカード用スイッチ付コネクタは、図１、図２及び図５に示すように、ＩＣカードＣを本体１０のＩＣカード挿入穴１１に挿入したとき、第一スイッチ端子６０の第二端６３が第二接続端子４０とラップし、第二スイッチ端子７０の第二端７３が第三接続端子５０とラップし、このとき、回路板３０の第一接点６１と第二接点６２と第三接点６３とが連通状態になり、すなわち、回路板３０が閉回路になり、スイッチ機構が形成され、これにより、ＩＣカードＣが所定位置まで挿入されたかを判断可能である。
このように、本考案を一実施形態により説明したが、これは説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【００１５】
（考案の効果）
本考案のＩＣカード用スイッチ付コネクタによれば、次のような効果がある。
（１）第一スイッチ端子６０と第二スイッチ端子７０とはプレス加工で作製された部品であるので、加工が容易であり、弾性の信頼性がトルクバネよりも高いので、スイッチの機能が更に安定になる。
【００１６】
（２）金属プレートで一体成形された第一スイッチ端子６０および第二スイッチ端子７０を本体に取付けるときに、トルクバネを別に取付ける必要がないので、構成が簡素になり、組付作業が簡易になり、生産コストが降下する
（３）第一スイッチ端子６０と第二スイッチ端子７０との寸法がより大きいので、ピンセットを使用しなくても、組付作業を実施可能である。
（４）本体１０に第一スイッチ端子６０と第二スイッチ端子７０とを組付ける作業は一回で完成可能であるので、組付作業の効率が高くなり、且つ組付作業が容易になる。
【図面の簡単な説明】
【００１７】
【図１】本考案の一実施形態によるＩＣカード用スイッチ付コネクタを示す分解図である。
【図２】本考案の一実施形態によるＩＣカード用スイッチ付コネクタの本体に第一スイッチ端子および第二スイッチ端子を取付けた状態を示す分解図である。
【図３】本考案の一実施形態によるＩＣカード用スイッチ付コネクタを示す斜視図である。
【図４】図３の４−４線に沿う断面図である。
【図５】本考案の一実施形態によるＩＣカード用スイッチ付コネクタにＩＣカードを挿入した状態を示す断面図である。
【図６】従来のＩＣカード用スイッチ付コネクタを示す分解図である。
【図７】従来のＩＣカード用スイッチ付コネクタにおいて、鉄製ケーシングを取り除いた状態を示す斜視図である。
【符号の説明】
【００１８】
１０：本体、１０ａ：樹脂本体、１０ｂ：カバー、１１：ＩＣカード挿入穴、１２：端子、１３：第一ベース部、１４：第二ベース部、２０：第一接続端子、２１：第一端、２２：第二端、３０：回路板、３１：第一接点、３２：第二接点、３３：第三接点、４０：第二接続端子、４１：第一端、４２：第二端、５０：第三接続端子、５１：第一端、５２：第二端、６０：第一スイッチ端子、６１：中段、６２：第一端、６３：第二端、７０：第二スイッチ端子、７１：中段、７２：第一端、７３：第二端、８０：カード排出手段、１３１：位置決め穴、１４１：位置決め穴、６１１：係止片部、６１１ａ：フック部、６２１：階段部、６３１：突起部、６３２：水平段、７１１：係止片部、７１１ａ：フック部、７２１：階段部、７３１：突起部、７３２：水平段、Ｃ：ＩＣカード
【図１】
0003138937.tif 000003
【図２】
0003138937.tif 000004
【図３】
0003138937.tif 000005
【図４】
0003138937.tif 000006
【図５】
0003138937.tif 000007
【図６】
0003138937.tif 000008
【図７】
0003138937.tif 000009